【手続補正書】
【提出日】平成25年10月28日(2013.10.28)
【手続補正１】
【補正対象書類名】特許請求の範囲
【補正対象項目名】全文
【補正方法】変更
【補正の内容】
【特許請求の範囲】
【請求項１】
網膜の厚み方向に沿った断面を含む断層像を、前記断面に交差する方向に沿って複数取得することにより得られた複数の断層像を処理する画像処理装置であって、
前記複数の断層像から、網膜内の所定層を検出する検出手段と、
前記所定層における領域毎に構造情報を付与する付与手段と、
前記構造情報が付与された前記所定層を、前記厚み方向に交差する平面に写像された２次元画像を生成する生成手段と、を備えることを特徴とする画像処理装置。
【請求項２】
前記付与手段は、前記領域のうち偽像が存在する領域に対しては偽像が存在することを示す偽像属性を、偽像が存在しない領域に対しては偽像が存在しないことを示す偽像属性を、前記構造情報として付与する、ことを特徴とする請求項１に記載の画像処理装置。
【請求項３】
前記生成された２次元画像において、前記偽像が存在することを示す偽像属性が写像されている偽像領域の大きさまたは形状に基づいて、当該偽像の種類を判定する判定手段を更に備えることを特徴とする請求項２に記載の画像処理装置。
【請求項４】
前記判定手段は、前記２次元画像において、前記偽像領域の面積が所定の値以上であり、且つ、前記偽像領域に外接する矩形領域において当該偽像領域が占める割合が所定の値以上である場合に、前記偽像が出血による偽像であると判定し、その他の場合には前記偽像が血管による偽像であると判定することを特徴とする請求項３に記載の画像処理装置。
【請求項５】
前記断層像の前記厚み方向に沿ったラインごとに、前記検出手段により検出された前記所定層の境界の位置を示す構造情報を取得する取得手段と、
前記断層像を表示するとともに、前記ラインごとの前記構造情報によって示される前記境界の位置を前記断層像において識別可能に表示する表示手段とを更に備え、
前記表示手段は、前記断層像の表示において、偽像が存在することを示す前記偽像属性が付与されたラインを、前記判定手段により判定された種類を識別可能に表示することを特徴とする請求項３に記載の画像処理装置。
【請求項６】
前記検出手段は、前記断層像の前記厚み方向に沿ったラインごとに網膜のＩＬＭ境界とＩＳ／ＯＳ境界とを検出し、
前記付与手段は、前記検出手段が前記ＩＳ／ＯＳ境界を検出できない場合に、偽像が存在することを示す前記偽像属性を当該ラインに付与することを特徴とする請求項２乃至５のいずれか１項に記載の画像処理装置。
【請求項７】
前記２次元画像の、前記検出手段により硝子体皮質とＩＬＭ境界の両方が検出されたラインにより形成された領域の境界において、前記ＩＬＭ境界の不連続性を検出することにより当該領域にのう胞が存在するか否かを判定する手段を更に備えることを特徴とする請求項１乃至６のいずれか１項に記載の画像処理装置。
【請求項８】
前記検出手段により第１の境界と第２の境界の分離が検出されたラインが写像されている、前記２次元画像の連続領域の境界部分において、前記第２の境界の前記厚み方向における連続性を判定する連続性判定手段と、
前記連続性判定手段により判定された連続性に基づいて前記分離が存在するか否かを決定し、該決定に基づいて前記検出手段の検出結果を補正する補正手段と、を備えることを特徴とする請求項１乃至６のいずれか１項に記載の画像処理装置。
【請求項９】
前記第１の層の境界が硝子体皮質であり、前記第２の層の境界が網膜のＩＬＭ境界であり、
前記補正手段は、前記硝子体皮質を前記ＩＬＭ境界に補正するとともに、各ラインの構成情報にのう胞の存在を示す情報を付加することを特徴とする請求項８に記載の画像処理装置。
【請求項１０】
網膜の複数の断層像を含む３次元画像を処理する画像処理装置であって、
前記複数の断層像における前記網膜の所定層を検出する検出手段と、
前記所定層のうち境界を検出できなかった領域が前記網膜の厚み方向に交差する平面に写像された２次元画像における前記領域の状態に基づいて、前記領域の種類を判定する判定手段と、を備えることを特徴とする画像処理装置。
【請求項１１】
網膜の複数の断層像を含む３次元画像を処理する画像処理装置であって、
前記複数の断層像における前記網膜の所定層を検出する検出手段と、
前記所定層の一部である偽像領域が前記網膜の厚み方向に交差する平面に写像された２次元画像における領域の状態に基づいて、前記偽像領域の種類を判定する判定手段と、を備えることを特徴とする画像処理装置。
【請求項１２】
網膜の複数の断層像を含む３次元画像を処理する画像処理装置であって、
前記複数の断層像における前記網膜の所定層を検出する検出手段と、
前記所定層のうち境界を検出できなかった領域が前記網膜の厚み方向に交差する平面に写像された２次元画像を生成する生成手段と、を備えることを特徴とする画像処理装置。
【請求項１３】
網膜の複数の断層像を含む３次元画像を処理する画像処理装置であって、
前記複数の断層像における前記網膜の所定層を検出する検出手段と、
前記所定層の一部である偽像領域が前記網膜の厚み方向に交差する平面に写像された２次元画像を生成する生成手段と、を備えることを特徴とする画像処理装置。
【請求項１４】
網膜の厚み方向における複数の断層像を処理する画像処理装置であって、
前記複数の断層像から、網膜内の所定層を検出する検出手段と、
前記所定層の一部である領域に構造情報を付与する付与手段と、
前記領域が前記厚み方向に交差する平面に写像された２次元画像を生成する生成手段と、を備えることを特徴とする画像処理装置。
【請求項１５】
コンピュータを、請求項１乃至１４のいずれか１項に記載の画像処理装置の各手段として実行させるためのプログラム。
【請求項１６】
網膜の厚み方向に沿った断面を含む断層像を、前記断面に交差する方向に沿って複数取得することにより得られた複数の断層像を処理する画像処理装置の画像処理方法であって、
前記複数の断層像から、網膜内の所定層を検出する検出工程と、
前記所定層における領域毎に構造情報を付与する付与工程と、
前記構造情報が付与された前記所定層を、前記厚み方向に交差する平面に写像された２次元画像を生成する生成工程と、を有することを特徴とする画像処理方法。
【請求項１７】
網膜の複数の断層像を含む３次元画像を処理する画像処理方法であって、
前記複数の断層像における前記網膜の所定層を検出する工程と、
前記所定層のうち境界を検出できなかった領域が前記網膜の厚み方向に交差する平面に写像された２次元画像における前記領域の状態に基づいて、前記領域の種類を判定する工程と、を有することを特徴とする画像処理方法。
【請求項１８】
網膜の複数の断層像を含む３次元画像を処理する画像処理方法であって、
前記複数の断層像における前記網膜の所定層を検出する工程と、
前記所定層の一部である偽像領域が前記網膜の厚み方向に交差する平面に写像された２次元画像における領域の状態に基づいて、前記偽像領域の種類を判定する工程と、を有することを特徴とする画像処理方法。
【請求項１９】
網膜の複数の断層像を含む３次元画像を処理する画像処理方法であって、
前記複数の断層像における前記網膜の所定層を検出する工程と、
前記所定層のうち境界を検出できなかった領域が前記網膜の厚み方向に交差する平面に写像された２次元画像を生成する工程と、を有することを特徴とする画像処理方法。
【請求項２０】
網膜の複数の断層像を含む３次元画像を処理する画像処理方法であって、
前記複数の断層像における前記網膜の所定層を検出する工程、
前記所定層の一部である偽像領域が前記網膜の厚み方向に交差する平面に写像された２次元画像を生成する工程と、を有することを特徴とする画像処理方法。
【請求項２１】
網膜の厚み方向における複数の断層像を処理する画像処理方法であって、
前記複数の断層像から、網膜内の所定層を検出する検出工程と、
前記所定層の一部である領域に構造情報を付与する付与工程と、
前記領域が前記厚み方向に交差する平面に写像された２次元画像を生成する生成工程と、を有することを特徴とする画像処理方法。
【請求項２２】
コンピュータに、請求項１６乃至２１のいずれか１項に記載の画像処理方法の各工程を実行させるためのプログラム。
【手続補正２】
【補正対象書類名】明細書
【補正対象項目名】００１０
【補正方法】変更
【補正の内容】
【００１０】
上記の目的を達成するための本発明の一態様による画像処理装置は以下の構成を備える。すなわち、
網膜の厚み方向に沿った断面を含む断層像を、前記断面に交差する方向に沿って複数取得することにより得られた複数の断層像を処理する画像処理装置であって、
前記複数の断層像から、網膜内の所定層を検出する検出手段と、
前記所定層における領域毎に構造情報を付与する付与手段と、
前記構造情報が付与された前記所定層を、前記厚み方向に交差する平面に写像された２次元画像を生成する生成手段と、を備える。